(57)【特許請求の範囲】
【請求項１】
ユーザーのキー操作によって所定の情報が入力されるキー操作部が設けられた本体部と、
所定の情報を画面表示する表示部が設けられたスライド部と、
前記本体部及び前記スライド部に設けられ前記スライド部を前記本体部の所定部分でスライドさせるスライド機構とを具備し、
前記表示部及び前記キー操作部のバックライトを前記スライド部の開き始めに点灯し、遅くとも前記スライド部が開ききった時に前記表示部で待受画面の表示を行うようにして成り、
前記本体部において互いに離して装着された第１及び第２のセンサーと、前記スライド部に装着された第３のセンサーを用いて、前記スライド部の開き始めと前記スライド部の開ききりを検出することを特徴とする携帯端末装置。
【請求項２】
前記バックライトの点灯を制御するバックライト制御部を有することを特徴とする請求項１記載の携帯端末装置。
【請求項３】
前記第１及び第２のセンサーは磁気発生部材で構成され、前記第３のセンサーは磁気検出素子で構成されていることを特徴とする請求項１又は２記載の携帯端末装置。
【請求項４】
前記第１及び第２のセンサーは磁気検出素子で構成され、前記第３のセンサーは磁気発生部材で構成されていることを特徴とする請求項１又は２記載の携帯端末装置。
【請求項５】
前記表示部は、液晶パネルであることを特徴とする請求項１〜４の何れか１項に記載の携帯端末装置。
【請求項６】
前記本体部の所定部分は、前記本体部の前面であることを特徴とする請求項１〜５の何れか１項に記載の携帯端末装置。
【請求項７】
前記スライド機構は、本体部及びスライド部のいずれか一方にガイド溝が設けられると共に、他の一方に前記ガイド溝と嵌合するガイドレールが設けられて形成されたことを特徴とする請求項１〜６の何れか１項に記載の携帯端末装置。
【請求項８】
前記携帯端末装置は、携帯電話機またはＰＨＳであることを特徴とする請求項１〜７の何れか１項に記載の携帯端末装置。
【請求項９】
更に、前記スライド部の引き出し状態を検出する検出部と、当該検出部により前記スライド部の引き出し状態を検出している状態で前記表示部の表示画面の電源をオン状態とする表示制御部を有することを特徴とする請求項１〜８の何れか１項に記載の携帯端末装置。
【請求項１０】
前記開き始めの点灯に代えて、前記スライド部の閉じ始めに前記バックライトが点灯することを特徴とする請求項１〜９の何れか１項に記載の携帯端末装置。
【発明の詳細な説明】
【技術分野】
【０００１】
本発明は、携帯端末装置に係わり、特に、スライド型携帯携帯端末装置におけるユーザビリティを向上させる携帯端末装置に関する。
【背景技術】
【０００２】
近年、携帯電話機のような携帯端末装置では、メールの文字情報やＷｅｂサイトの文字・画像情報などを見易くするために、携帯端末装置の液晶表示部の拡大が望まれている。また、ユーザが文字や画像の通信を行う場合の操作性を向上させるため、広いキー操作部を備えた携帯端末装置が望まれている。
更に、近年の携帯端末装置では、ユーザによる持ち運びの利便性や携帯性を向上させるため、携帯端末装置の小型化及び軽量化が望まれている。
【０００３】
このような要望に応えるため、従来の携帯端末装置は、その筐体の前面の略半々の領域に液晶表示部及びキー操作部が設けられているものや、２つの筐体で構成されヒンジを中心に回動する折り畳み式のものが実用化されている。
また、大型の液晶表示部を備えた携帯電話機本体に対し上下にスライドするキーパット部からなる携帯電話機も実用化されている。
【０００４】
上述のような従来例に関する技術が記載された刊行物例としては、下記の特許文献１及び２が知られている。即ち、
特許文献１はスライド機構により大型の液晶表示部を使用可能とした携帯端末装置に関するものであり、スライド部が本体部の背面にスライド移動するように、本体部とスライド部にスライド機構を設けた携帯端末装置が開示されている。
【０００５】
また、特許文献２は携帯電話機や小型情報端末で操作性の向上を図った携帯端末装置に関するものであり、身体に直接装着したり特別のキー操作を行なったりすることなく新たに定められた操作を実現できるうえ、アナログ的な量の指示も比較的容易に行なうことができる携帯端末装置が開示されている。
然しながら、従来の携帯電話機では、スライド操作において、筐体が開ききった時に液晶及びキーバックライトの点灯と待受画面などの表示とを同時に行う制御となっていた。このため、スライド部を開いた時に処理が集中し、画面表示をユーザが目視できるようになるまでに比較的長いタイムラグが生じていた。
【０００６】
また、スライド部を開き始めた時には、液晶バックライトもキーバックライトも点灯しないため、暗闇ではキー操作部などを操作し辛いという問題があった。
更に、下記の特許文献１や２に開示されたような技術をもってしても、スライド型携帯端末装置におけるユーザビリティを十分に向上させることができないという問題もあった。
【０００７】
【特許文献１】特開２００３−１６９１２０号公報
【特許文献１】特許第４０１３９６５号公報
【発明の開示】
【発明が解決しようとする課題】
【０００８】
本発明は、上述のような従来例の問題点などに鑑みてなされたものであり、スライド型携帯端末装置におけるユーザビリティを向上させることを課題としている。
【課題を解決するための手段】
【０００９】
上記課題を解決する本発明は、携帯端末装置において、ユーザーのキー操作によって所定の情報が入力されるキー操作部が設けられた本体部と、所定の情報を画面表示する表示部が設けられたスライド部と、前記本体部及び前記スライド部に設けられ前記スライド部を前記本体部の所定部分でスライドさせるスライド機構とを有していて、前記表示部及び前記キー操作部のバックライトを前記スライド部の開き始めに点灯し、遅くとも前記スライド部が開ききった時に前記表示部で待受画面の表示を行うことを特徴とする。
これにより、スライド型携帯端末装置におけるユーザビリティを向上させた携帯端末装置が実現する。
【００１０】
同様に上記課題を解決する本発明は、前記携帯端末装置において、更に、前記バックライトを制御するバックライト制御部を有することを特徴とする。
同様に上記課題を解決する本発明は、前記携帯端末装置において、前記本体部で互いに離して装着された第１及び第２のセンサーと、前記スライド部に装着された第３のセンサーを用いて、前記スライド部の開き始めと前記スライド部が開ききりを検出することを特徴とする。
【００１１】
同様に上記課題を解決する本発明は、請求項３記載の携帯端末装置において、前記第１及び第２のセンサーは磁気発生部材で構成され、前記第３のセンサーは磁気検出素子で構成されていることを特徴とする。
同様に上記課題を解決する本発明は、請求項３記載の携帯端末装置において、前記第１及び第２のセンサーは磁気検出素子で構成され、前記第３のセンサーは磁気発生部材で構成されていることを特徴とする。
【００１２】
同様に上記課題を解決する本発明は、前記何れかの携帯端末装置において、前記表示部は、液晶パネルであることを特徴とする。
同様に上記課題を解決する本発明は、前記何れかの携帯端末装置において、前記本体部の所定部分は、前記本体部の前面であることを特徴とする。
【００１３】
同様に上記課題を解決する本発明は、前記何れかの携帯端末装置において、前記スライド機構は、本体部及びスライド部のいずれか一方にガイド溝が設けられると共に、他の一方に前記ガイド溝と嵌合するガイドレールが設けられて形成されたことを特徴とする。
同様に上記課題を解決する本発明は、前記何れかの携帯端末装置において、前記携帯端末装置は、携帯電話機またはＰＨＳであることを特徴とする。
【００１４】
同様に上記課題を解決する本発明は、前記何れかの携帯端末装置において、更に、前記スライド部の引き出し状態を検出する検出部と、当該検出部により前記スライド部の引き出し状態を検出している状態で前記表示部の表示画面の電源をオン状態とする表示制御部を有することを特徴とする。
【００１５】
同様に上記課題を解決する本発明は、前記何れかの携帯端末装置において、前記開き始めの点灯に代えて、前記スライド部の閉じ始めに前記バックライトが点灯することを特徴とする。
【発明の効果】
【００１６】
本発明によれば、液晶バックライトおよびキーバックライトをスライド部の開き始めに点灯させることなどにより、スライド部を完全に開いた時の処理が軽減され、ユーザがスライド部を開いたのち操作するまでの待ち時間を軽減できる。また、スライド部を開き始めた段階でキーバックライトが点灯するため、暗闇での操作性が向上する。
【発明を実施するための最良の形態】
【００１７】
以下、図面を参照しながら、本発明の実施の形態について詳しく説明する。
図１は本実施形態の要部構成ブロック図である。この図において、携帯電話機１０は、ＣＰＵ（Ｃｅｎｔｒａｌ  Ｐｒｏｃｅｓｓｉｎｇ  Ｕｎｉｔ：中央処理装置）２０を搭載している。また、ＣＰＵ２０は、バス３０を介して装置内の各部と接続されている。このうち入力部４０は、入力キー４１からのキー入力を検知する回路である。
【００１８】
表示制御部５０は、表示部５１の表示を制御する制御回路である。表示部５１は、図３を用いて後述するように、本体部の前面に配置されており、白黒あるいはカラーで所定事項を表示する液晶パネルなどでなる表示部分である。送受信部６０は、無線によって着信や発信、通話、通信を行う回路である。
【００１９】
スライド開閉検出部７０は、携帯電話機１０の筐体のスライド部が開状態であるか閉状態であるかを検出するセンサーである。このスライド開閉検出部７０は、磁気またはスイッチなどによりスライド部の開状態および閉状態を検出できるようになっている。作業用メモリ８０は、ＲＡＭ（Ｒａｎｄｏｍ  Ａｃｃｅｓｓ  Ｍｅｍｏｒｙ：ランダム・アクセス・メモリ）によって構成されており、ＣＰＵ２０がプログラムを実行する上で一時的に必要とされるデータを格納するようになっている。
【００２０】
不揮発メモリ９０は、データの消去、書き込みを自由に行うことができるうえ、電源を切っても内容が消えない半導体メモリであり、電話帳データや各種設定値あるいは他のユーザデータなどを保持できるようになっている。
ＲＯＭ１００は、ＣＰＵ２０が実行するための各種制御用プログラムなどの固定的なデータを格納したＲＯＭ（Ｒｅａｄ  Ｏｎｌｙ  Ｍｅｍｏｒｙ：リード・オンリ・メモリ）である。スピーカー１１０は、着信音・音声・確認音などを出力するための装置である。マイク１２０は、音声を送話するための装置である。
【００２１】
バックライト制御部１３０はバックライト１３１を制御する回路であり、バックライト１３１はＬＥＤ（Ｌｉｇｈｔ  Ｅｍｉｔｔｉｎｇ  Ｄｉｏｄｅ：発光ダイオード）などによる照明である。
一方、図２は本実施形態で使用されている、スライド部を開き始めたことを検出してバックライトを点灯し、スライド部が完全に開いた状態を検出して待受画面などの表示を行うに至るまでの処理の様子を示すフローチャートである。
【００２２】
また、図３は、本実施形態で使用されている、スライド部の開状態と閉状態を検出するためのセンサーの配置について説明するための図である。
なお、図３では本体部の側面にセンサーが設けられるように示しているが、これは分かり易く図示するためのものであり、実際にはセンサーが側面にある必要はなく本体部などの前面に設けても良い。
【００２３】
以下、図２及び図３を参照しながら、本実施形態の動作について詳しく説明する。
図３においてセンサー３２とセンサー３３が接している状態、即ちスライド部が閉じている状態において、スライド部が開き始めたのが検出されるまで待つ（図２のステップ２１）。
【００２４】
次いで、図３においてセンサー３２とセンサー３３が接している状態から、センサー３２とセンサー３３が離れた状態に変化した時、即ちスライド部の開き始めを検出したら、液晶バックライトおよびキーバックライトの点灯を行う（図２のステップ２２）。
その後、スライド部を完全に開いた状態を検出するまで待つ（図２のステップ２３）。この待っている状態は、例えば、図３においてセンサー３２がセンサー３１とセンサー３３の間にある時の状態である。
【００２５】
次いで、スライド部が完全に開いた状態を検出したら、待受画面などの表示を行う（図２のステップ２４）。即ち、図３においてセンサー３２がセンサー３１とセンサー３３の間にある状態から、センサー３１とセンサー３２が接している状態に変化した時に、その状態を検出して待受画面などの表示を行う。
【００２６】
以上詳しく説明したような本実施形態によれば、液晶バックライトおよびキーバックライトをスライド部の開き始めに点灯することにより、スライド部を完全に開いた時の処理が軽減され、ユーザがスライド部を開いたのち操作するまでの待ち時間が軽減できる。
また、開き始めた段階でキーバックライトが点灯するため、暗闇などで行なう時のキー操作部などの操作性も向上する。
【００２７】
以下、本発明の他の実施形態について、特徴部分のみを簡潔に説明する。
図１〜３を参照しながら説明した本発明の上記実施形態においては、携帯電話端末の場合について説明したが、ＰＨＳ（Ｐｅｒｓｏｎａｌ  Ｈａｎｄｙｐｈｏｎｅ  Ｓｙｓｔｅｍ：移動体通信サービスの一つ）のような他のスライド型携帯端末装置でも同様にして、液晶バックライトおよびキーバックライトをスライド部の開き始めに点灯することにより、同様の効果を得ることができる。
【００２８】
また、本発明の上記実施形態においては、図３において液晶側にキーバックライトがない場合について説明したが、液晶側にもボタンが配置されることによりキーバックライトがある場合、或いはキーバックライトがない場合でも、本発明を適用することにより同様の効果を得ることができる。
【００２９】
更に、本発明の上記実施形態においては、図３のセンサー３１、センサー３２、センサー３３がいずれもセンサーの場合について説明したが、センサー３２が磁気を検知するセンサーである場合には、センサー３１とセンサー３３は、例えば磁石などのように所定の磁気を発するものでも良い。  
同様にまた、図３のセンサー３１とセンサー３３が磁気を検知するセンサーである場合には、センサー３２は磁石などのように所定の磁気を発するものでも良い。
【００３０】
なお、磁気を検知するセンサーの具体例としては磁気検出素子があり、磁気を発するものの具体例としては磁気発生部材が挙げられる。この磁気発生部材は、所定の領域内に電界を発生させ、それを磁気検出素子で検出することによって、磁気発生部材の接近や存在が検出される。即ち、磁気検出素子と磁気発生部材が組合わされて磁気型近接スイッチを構成し、磁気発生部材が装着された検出体が接近したときの磁束変化を利用して検出体（本発明の場合は上記本体部や上記スライド部）が検出されるようになっている。
【００３１】
更に、本発明の上記実施形態においては、スライド部を閉じた状態から開いた状態にする場合について説明したが、逆に、スライド部を開いた状態から閉じた状態にする場合についても本発明を適用することにより同様の効果を得ることができる。
また、本発明の上記実施形態においては、先ずバックライトを点灯しその後に待受画面などの表示をする場合について説明したが、待受画面などの表示をした後にバックライトの点灯を行った場合でも、完全に開いた時の処理が軽減される効果はあるため、ユーザの待ち時間が軽減できる効果がある。
【００３２】
更に、本発明の上記実施形態においては、スライド部の開き始めで液晶バックライトおよびキーバックライトが点灯する場合について説明したが、その他具備されているＬＥＤなどを点灯・点滅させるようにしてもよいものとする。
【産業上の利用可能性】
【００３３】
本発明は、携帯電話機、ＰＨＳ、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）などの携帯端末装置であってスライド型のものに利用可能である。
【図面の簡単な説明】
【００３４】
【図１】本発明の実施形態の要部構成ブロック図である。
【図２】本実施の実施形態で使用されている、スライド部を開き始めたことを検出してバックライトを点灯し、完全に開いた状態を検出して待受画面などの表示を行うに至るまでの処理の様子を示すフローチャートである。
【図３】本発明の実施形態で使用されている、スライド部の開状態と閉状態を検出するためのセンサーの配置について説明するための図である。
【符号の説明】
【００３５】
１０・・・携帯電話機
２０・・・ＣＰＵ
４０・・・入力部
４１・・・入力キー
５０・・・表示制御部
５１・・・表示部
７０・・・スライド開閉検出部
１３０・・・バックライト制御部
１３１・・・バックライト
【図１】
0005061932.tif 000002
【図２】
0005061932.tif 000003
【図３】
0005061932.tif 000004